(57)【特許請求の範囲】
【請求項１】
容器状をした構造物の周囲の縦壁表面に固着した周壁部遮水シートと、前記構造物の底面に敷設した底部遮水シートとを接合させる遮水シートの接合構造において、
前記底部遮水シートの少なくとも縁部を伸縮可能な材料をもって構成させ、該縁部を前記周壁部遮水シート表面に沿って立ち上げて、その立上がり部の上縁を周壁部遮水シート表面に固着し、かつ、前記底部遮水シートの立上がり部を覆うカバーシートを、該立上がり部の表面側に重ねて垂下させたことを特徴としてなる遮水シートの接合構造。
【請求項２】
周壁部遮水シート、底部遮水シート及びカバーシートの重なり合う部分の相互間にそれぞれ潤滑材を介在させてなる請求項１に記載の遮水シートの接合構造。
【発明の詳細な説明】
【０００１】
【発明の属する技術分野】
本発明は、例えば産業廃棄物処分場として使用する容器上上構造物において、内面に遮水シートを敷設する際に、周壁部と底面部との遮水シートを接合する遮水シートの接合構造に関する。
【０００２】
【従来の技術】
一般に、産業廃棄物処分場では、廃棄物を積み上げて埋設するために、地盤を掘削するなどして廃棄物を収容する容器状の構造物を構築し、その内面に合成樹脂板からなる遮水シートを貼り付けて止水し、その内部に産業廃棄物を収容している。
【０００３】
この従来の遮水シートの貼り付けは、多数枚の遮水シートを順次、溶着若しくは接着剤により繋ぎあわせ、構造物全体の不透水性を維持させようとしているところであり、底面部と周壁部の遮水シートも、他の部分と同様の接合がなされている。
【０００４】
【発明が解決しようとする課題】
一般に、産業廃棄物処分場等のように内部に重量物を収容する構造物では、底部床盤が収容物の重量によって沈下し易く、このため周壁部と底面部との境界の遮水シートに局部的な伸びが発生し、切れが生じ易いという問題があった。
【０００５】
本発明はこのような従来の問題に鑑み、底面部の沈下が生じても、遮水シートの切れが生じにくい遮水シートの接合構造の提供を目的としてなされたものである。
【０００６】
【課題を解決するための手段】
上述の如き従来の問題を解決し、所期の目的を達成するための本発明の特徴は、容器状をした構造物の周囲の縦壁表面に固着した周壁部遮水シートと、前記構造物の底面に敷設した底部遮水シートとを接合させる遮水シートの接合構造において、前記底部遮水シートの少なくとも縁部を伸縮可能な材料をもって構成させ、該縁部を前記周壁部遮水シート表面に沿って立ち上げて、その立上がり部の上縁を周壁部遮水シート表面に固着し、かつ、前記底部遮水シートの立上がり部を覆うカバーシートを、該立上がり部の表面側に重ねて垂下させたことを特徴としてなる遮水シートの接合構造にある。
【０００７】
尚、周壁部遮水シート、底部遮水シート及びカバーシートの重なり合う部分の相互間にそれぞれ潤滑材を介在させることが好ましい。
【０００８】
【発明の実施の形態】
次に本発明の実施の形態を図面について説明する。
【０００９】
図において、１は例えば産業廃棄物処分場として使用する容器状をした構造物の周壁部を構成する縦壁である。２は同構造物の底部床版である。周壁１は地中に形成した基礎３の上にコンクリートをもって構築されたものであり、底部床盤２は地盤を掘削した地山である。
【００１０】
縦壁１の表面には、裏面に一体に突設したアンカー４を該縦壁のコンクリート内に埋め込んで周壁部遮水シート５が貼り付けられている。底部床盤２の表面には底部遮水シート６が敷設されており、その縁部を立ち上げ、該立上がり部７を周壁部遮水シート５の表面に重ねあわせ、その上縁を溶着若しくは接着剤８により周壁部遮水シート５の表面に固着している。この底部遮水シート６は、地盤沈下による底部床盤２の変形に対応して伸縮できる柔軟性をもった材料が使用されている。
【００１１】
尚、底部床盤２自体の伸びが生じないか若しくは小さいものである場合には、立上がり部７のみに大き目の伸縮性を持たせた材料を使用してもよい。
【００１２】
底部遮水シート６の立上がり部７の表面側に重ねてカバーシート９が設置されている。このカバシート９は、その上縁が、前述した底部遮水シート６の上縁の固着部より上側にて周壁部遮水シート５に対し、溶着若しくは接着剤１０にて固着されている。
【００１３】
これら、周壁部遮水シート５、底部遮水シート６及びカバーシート９が重なり合って、相互に接触する部分には、グリースその他の液状若しくは固形のあるいはゲル状の潤滑剤１１が介在されている。
【００１４】
このように構成される遮水シートの接合構造においては、構造物内に産業廃棄物などの収容物１２を積み上げることによって底部床盤２が沈下し、これに対応して底部遮水シート５が伸ばされる。周壁部遮水シート５との接合部分では、縦壁１に対する収容物の下向き荷重の影響が小さいために、その沈下量が底部床版２より小さく、底部遮水シート６の伸び率が大きくなり、その伸びを立上がり部７によって受け持つこととなる。
【００１５】
この時、立上がり部７の表面側が、周壁部遮水シート５に固着されたカバーシート９によって覆われている部分は、構造物内に収容された収容物１２とは接触せず、立上がり部７のその全高さ範囲にて伸びが生じることとなり、局部的に伸び率が大きくなる部分の発生が防止される。
【００１６】
また、立上がり部７の裏面側の周壁部遮水シート５、及び表面側のカバーシート９との各重なり合い部分には、潤滑剤が介在されているため摩擦力が小さく、収容物１２による水平荷重が大きくなっても、伸びに対する拘束力が小さく、立上がり部７のカバーシート９によって覆われた全高さ部分によって伸びが受け持たれ、底部遮水シート６に対する局部的な応力集中が防止される。
【００１７】
尚、前述の実施形態では、産業廃棄物処分場について述べたが、この他、底部床盤の沈下が予想される容器状の構造物であって、周壁部及び底部を遮水構造とする必要のある構造物に適用することができる。
【００１８】
また、縦壁が垂直である場合に限らず、傾斜した法面であっても適用でき、同様に底部床盤が水平である場合のみに限らず、多少の傾斜があっても適用できる。
【００１９】
【発明の効果】
上述のように、本発明に係る遮水シートの接合構造に合っては、底部遮水シートの少なくとも縁部を伸縮可能な材料をもって構成させ、該縁部を前記周壁部遮水シート表面に沿って立ち上げて、その立上がり部の上縁を周壁部遮水シート表面に固着し、かつ、前記底部遮水シートの立上がり部を覆うカバーシートを、該立上がり部の表面側に垂下させたことにより、底部床盤に沈下が生じ、底部遮水シートの周壁部遮水シートに対する接合部分に大きな伸びが生じた場合でも、その伸びを、底部遮水シートのカバーシートで覆われている部分全域で受け持つことができることとなり、局部的な応力の集中がなくなり、シートの破損が防止される。
【００２０】
また、周壁部遮水シート、底部遮水シート及びカバーシートの重なり合う部分の相互間にそれぞれ潤滑材を介在させることにより、底部遮水シートに対する拘束力がより小さくなり、シートの破損防止効果が高いものとなる。
【図面の簡単な説明】
【図１】本発明にかかる遮水シート接合構造の一例を示す部分断面図である。
【符号の説明】
１  縦壁
２  底部床盤
３  基礎
４  アンカー
５  周壁部遮水シート
６  底部遮水シート
７  立上がり部
８  接着剤
９  カバーシート
１０  接着剤
１１  潤滑剤
１２  収容物
【図１】
0004003199.tif 000002